(57)【要約】【課題】赤外線通信により簡易にデータ交換を可能とする携帯電話機を提供する。【解決手段】携帯電話機の赤外線通信部が、相手方の携帯電話機から赤外線通信により送信される第一のデータを受信し、第二のデータを赤外線通信により送信する場合、携帯電話機の制御部が、第一のデータの受信完了に応じて、第二のデータを送信するように赤外線通信部を制御する。又は、制御部は、第二のデータの送信完了に応じて、第一のデータを受信するように赤外線通信部を制御する。【選択図】図２
2007221355.tif 000002
【特許請求の範囲】
【請求項１】
赤外線通信機能を有する携帯電話機において、
相手方の携帯電話機から赤外線通信により送信される第一のデータを受信し、第二のデータを赤外線通信により送信する赤外線通信部と、
前記第一のデータの受信完了に応じて、前記第二のデータを送信するように前記赤外線通信部を制御する制御部とを備えることを特徴とする携帯電話機。
【請求項２】
赤外線通信機能を有する携帯電話機において、
相手方の携帯電話機から赤外線通信により送信される第一のデータを受信し、第二のデータを赤外線通信により送信する赤外線通信部と、
前記第二のデータの送信完了に応じて、前記第一のデータを受信するように前記赤外線通信部を制御する制御部とを備えることを特徴とする携帯電話機。
【請求項３】
赤外線通信機能を有する携帯電話機において、
相手方の携帯電話機から赤外線通信により送信される第一のデータを受信し、第二のデータを赤外線通信により送信する赤外線通信部と、
前記第一のデータの受信完了に応じて、前記第二のデータを送信するように前記赤外線通信部を制御する第一のモードと、前記第二のデータの送信完了に応じて、前記第一のデータを受信するように前記赤外線通信部を制御する第二のモードとを有する制御部とを備えることを特徴とする携帯電話機。
【請求項４】
赤外線通信機能を有する携帯電話機の通信方法において、
相手方の携帯電話機から赤外線通信により送信される第一のデータを受信し、第二のデータを赤外線通信により送信する赤外線通信ステップと、
前記第一のデータの受信完了に応じて、前記第二のデータを送信するように前記赤外線通信ステップを制御する制御ステップとを備えることを特徴とする携帯電話機の通信方法。
【請求項５】
赤外線通信機能を有する携帯電話機により実行されるコンピュータプログラムにおいて、
相手方の携帯電話機から赤外線通信により送信される第一のデータを受信し、第二のデータを赤外線通信により送信する赤外線通信ステップと、
前記第一のデータの受信完了に応じて、前記第二のデータを送信するように前記赤外線通信ステップを制御する制御ステップとを前記携帯電話機に実行させるためのコンピュータプログラム。
【発明の詳細な説明】
【技術分野】
【０００１】
本発明は、赤外線通信機能を有する携帯電話機に関し、特に、赤外線通信により、電子端末同士でデータを交換する場合に、送受信を自動で切り替わることができる携帯電話機に関する。
【背景技術】
【０００２】
近年、赤外線を利用した近距離のデータ通信を行うIrDA (Infrared Data Association)を採用する携帯電話機が登場し、IrDAを用いた多様なサービスが展開され始めている。IrDAにより、例えば、携帯電話機同士でデータの交換を行うことができる。IrDAは、赤外線を利用した近距離のデータ通信を行なう技術仕様を策定するために1993年に設立された業界団体、及び、同団体が定めた赤外線通信の規格であって、現在、通信可能距離１ｍ、通信速度115.2kbpsまでのバージョン1.0仕様、通信可能距離１ｍ以内、通信速度4Mbpsまでの1.1仕様と、通信可能距離0.2m以内、通信速度115.2kbpsまでの1.2仕様(低消費電力版)がある。
【０００３】
例えば、携帯電話機に記憶されているプロフィール情報（ユーザ自身の氏名、電話番号、メールアドレスなどの情報）やアドレス帳（登録されているユーザの電話番号、メールアドレスなど）を携帯電話機同士で交換する場合に、このIrDAによる赤外線通信が用いられる。まず、当初送信側ユーザＡは、送信するデータを選択し、さらに、携帯電話機を送信モードに設定する。このとき、当初受信側ユーザＢは、携帯電話機を受信モードに設定しておく。当初送信側ユーザＡが送信操作を行うと、当初送信側ユーザＡの携帯電話機からデータが送信され、当初受信側ユーザＢの携帯電話機で送信データを受信する。
【０００４】
次に、当初送信側と当初受信側が入れ替わり、同じ動作を繰り返す。すなわち、当初送信側が受信側となり、当初受信側が送信側となる。具体的には、送信側となった当初受信側ユーザＢは、当初送信側ユーザＡの携帯電話機からのデータを受信した後、送信するデータを選択し、携帯電話機を送信モードに設定する。一方、受信側となった当初送信側ユーザＡは、データ送信終了後、携帯電話機を受信モードに設定する。そして、当初受信側ユーザＢが送信操作を行うと、当初受信側ユーザＢの携帯電話機からデータが送信され、当初送信側ユーザＡの携帯電話機で送信データを受信する。
【０００５】
このように、赤外線通信により携帯電話機のデータを交換する場合、（１）ユーザＡ送信→ユーザＢ受信の通信を行ってから、（２）ユーザＢ送信→ユーザＡ受信の通信を行う必要があり、ユーザＡ、Ｂ間でデータを交換するには、ユーザは送受信を交代し、２回の通信操作を行う必要がある。
【０００６】
下記特許文献１は、赤外線通信機能を備えた携帯電話機において、赤外線通信を行う相手方のシステムからの信号に応じて通信モードを切り換える通信モード切換手段を備えた携帯電話機について開示する。
【特許文献１】特開２０００−９１９８０号公報
【発明の開示】
【発明が解決しようとする課題】
【０００７】
上述のように、データ交換のために、ユーザＡは、自己のデータを送信する操作を行い、送信が完了してから、ユーザＢからのデータを受信する操作を行う。ユーザＢは、ユーザＡからのデータを受信する操作を行い、受信が完了してから、自己のデータを送信する操作を行う必要がある。すなわち、データ交換の途中に、再度、ユーザの操作を必要とし、データ交換に手間がかかる。
【０００８】
本発明の目的は、赤外線通信機能を用いて携帯電話機でデータ交換を行う場合に、より簡易にデータ交換を可能とする携帯電話機を提供することにある。
【課題を解決するための手段】
【０００９】
上記目的を達成するための本発明の携帯電話機の第一の構成は、赤外線通信機能を有する携帯電話機において、相手方の携帯電話機から赤外線通信により送信される第一のデータを受信し、第二のデータを赤外線通信により送信する赤外線通信部と、前記第一のデータの受信完了に応じて、前記第二のデータを送信するように前記赤外線通信部を制御する制御部とを備えることを特徴とする。
【００１０】
本発明の携帯電話機の第二の構成は、赤外線通信機能を有する携帯電話機において、相手方の携帯電話機から赤外線通信により送信される第一のデータを受信し、第二のデータを赤外線通信により送信する赤外線通信部と、前記第二のデータの送信完了に応じて、前記第一のデータを受信するように前記赤外線通信部を制御する制御部とを備えることを特徴とする。
【００１１】
本発明の携帯電話機の第三の構成は、相手方の携帯電話機から赤外線通信により送信される第一のデータを受信し、第二のデータを赤外線通信により送信する赤外線通信部と、前記第一のデータの受信完了に応じて、前記第二のデータを送信するように前記赤外線通信部を制御する第一のモードと、前記第二のデータの送信完了に応じて、前記第一のデータを受信するように前記赤外線通信部を制御する第二のモードとを有する制御部とを備えることを特徴とする。
【発明の効果】
【００１２】
本発明によれば、赤外線通信のための１回の操作により、データ交換を行うことができ、データ交換のための操作を簡略化し、また、データ交換のための時間を短縮することができる。
【発明を実施するための最良の形態】
【００１３】
以下、図面を参照して本発明の実施の形態について説明する。しかしながら、かかる実施の形態例が、本発明の技術的範囲を限定するものではない。
【００１４】
本発明の実施の形態例では、携帯電話機を例に説明するが、本発明は、携帯電話機の他に、PDA、ノート型パーソナルコンピュータなどの携帯端末や据置型のデスクトップ型パーソナルコンピュータなどの電子端末にも適用可能である。
【００１５】
図１は、本発明の実施の形態における携帯電話機のブロック構成図を示す図である。制御部１０は、携帯電話機１の有する通話機能、電子メール機能、インターネット接続機能、赤外線通信機能などすべての機能を制御し、CPU及びCPUにより実行されるプログラムを格納するメモリなどから構成される。キー１１は、数字や文字を入力するための入力手段であり、スピーカ１２は音声出力手段、マイク１３は音声入力手段、ディスプレイ１４は表示手段である。
【００１６】
無線信号処理部１５は、アンテナ１６を介して基地局との間で送受信される信号を処理し、通話、電子メールやインターネット接続にかかる信号を取り扱う。
【００１７】
赤外線通信部１７は、IrDAにより、赤外線通信によるデータの送受信を行う。電源１８は、携帯電話機内の必要な要素に電力を供給する。なお、赤外線通信の規格は、IrDAに限られず、他の規格であってもよい。また、数メートル以内の近距離通信のための規格であれば、赤外線通信に限られない。
【００１８】
本発明の実施の形態例では、相手方の携帯電話機との間で、赤外線通信を用いてデータの交換を行う場合に、制御部１０が、赤外線通信部１７における送信と受信を自動的に切り替え、携帯電話機のユーザによる１回の操作で、データ交換を行えるようにする。
【００１９】
図２は、本発明の実施の形態における赤外線通信によるデータ交換処理のフローチャートである。また、図３は、データ交換処理中の携帯電話機のディスプレイに表示される画面の例である。ユーザＡの携帯電話機１ａとユーザＢの携帯電話機１ｂとの間で、アドレス帳のデータを交換する場合を例に、図３を参照しながら、図２に沿って説明する。制御部１０が、データ交換処理における赤外線通信を制御し、制御部１０の制御に基づいて、赤外線通信部１７が、データを送受信する。
【００２０】
ユーザＡは、携帯電話機１ａのキー１１を操作して、アドレス帳がディスプレイ１４に表示され、送信すべきアドレスを選択する（Ｓ１００）。ユーザＢも、同様に、携帯電話機１ｂのキー１１を操作して、アドレス帳をディスプレイ１４に表示させ、送信すべきアドレスを選択する（Ｓ２００）。図３（ａ）は、ユーザＡの携帯電話機１ａのアドレス帳表示画面の例であり、「Ｃさん」が選択されている。
【００２１】
ユーザＡは、送信すべきアドレスを選択すると、メニュー画面から赤外線通信モードを選択し（図３（ｂ）参照）、さらに、そのサブメニューから「送信→受信」モードを選択する（Ｓ１０１）（図３（ｃ）参照）。この「送信→受信」モードは、本発明に特徴的なモードであって、最初、赤外線通信によりデータを送信する送信モードとなり、データ送信完了後、自動的に送信モードと受信モードを切り替え、相手からのデータを受信する受信モードとなる。
【００２２】
ユーザＢは、送信すべきアドレスを選択すると、メニュー画面から赤外線通信モードを選択し（図３（ｂ）参照）、さらに、そのサブメニューから「受信→送信」モードを選択する（Ｓ２０１）（図３（ｄ））。この「受信→送信」モードは、本発明に特徴的なモードであって、最初、赤外線通信によりデータを受信する受信モードとなり、データ受信完了後、自動的に受信モードと送信モードを切り替え、相手にデータを送信する送信モードとなる。この送信モードから受信モードへの切替及び受信モードから送信モードへの切替は、制御部１０により自動的に実施される。
【００２３】
なお、例えば、「送信」モードは、単に、赤外線通信により、選択したデータを送信するモードであって、データを受信するモードではない。また、「受信」モードは、単に、赤外線通信によりデータを受信するモードであって、データを送信するモードではない。
【００２４】
続いて、ユーザＡ、Ｂはそれぞれキー１１を操作して、パスワードを入力する（Ｓ１０２、Ｓ２０２）（図３（ｅ）参照）。パスワードは、ユーザＡ、Ｂとの間であらかじめ決定したパスワードであって、ユーザＡとユーザＢは、決定した同じパスワードを入力する。入力されたパスワードは、赤外線通信により互いに相手側の携帯電話機に送信され、一致するか確認される。すなわち、ユーザＡの携帯電話機１ａは、ユーザＡが入力したパスワードとユーザＢの携帯電話機１ｂから送信されたパスワードとが一致するか確認し（Ｓ１０３）、ユーザＢの携帯電話機１ｂは、ユーザＢが入力したパスワードとユーザＡの携帯電話機１ａから送信されたパスワードとが一致するか確認する（Ｓ２０３）。一致しない場合は、選択されたデータの赤外線通信は開始されず、終了する（Ｓ１０８、Ｓ２０８）。
【００２５】
一致する場合は、選択されたデータの赤外線通信が開始する。まず、ユーザＡの携帯電話機１ａは、送信モードであって、ユーザＡが選択したデータの送信を開始する（Ｓ１０４）。ユーザＢの携帯電話機１ｂは、受信モードであって、携帯電話機１ａから送信されるデータの受信を開始する（Ｓ２０４）。
【００２６】
携帯電話機１ａは、選択したデータの送信が完了すると（Ｓ１０５）、データを受信する受信モードに切り替わり、ユーザＢの携帯電話機１ｂから送信されるデータの受信を開始する（Ｓ１０６）。
携帯電話機１ｂは、携帯電話機１ａから送信されるデータの受信が完了すると（Ｓ２０５）、データを送信する送信モードに切り替わり、ユーザＢが選択したデータの送信を開始する（Ｓ２０６）。
【００２７】
そして、携帯電話機１ｂのデータ送信が完了し（Ｓ２０７）、携帯電話機１ａのデータ受信が完了すると（Ｓ１０７）、赤外線通信が終了する（Ｓ１０８、Ｓ２０８）。
【００２８】
このように、携帯電話機１ａにおけるＳ１０４以降、携帯電話機１ｂにおけるＳ２０４以降の処理から明らかなように、データ交換のための赤外線通信が開始すると、データの送信と受信（又は受信と送信）の両方が順次自動的に実行され、ユーザＡ、Ｂはそれぞれ、一回の操作で、データを相手に送信し、且つ相手からデータを受信することができる。従って、従来、データ交換には、送信操作と受信操作の２回の操作が必要であったところ、本発明では、赤外線通信開始前の１回の操作で、データの送受信が完了することができ、それにより、データ交換にかかる操作の簡略化が図られる。また、１回の操作でデータ交換が可能となることから、データ交換のための時間を短縮することができる。
【００２９】
交換されるデータ（選択されるデータ）は、例示したアドレス帳のデータの他に、例えば、自己のプロフィール情報（自己の氏名、電話番号、メールアドレスなど）、画像（静止画、動画）データ、音楽・音声データ、スケジュールデータ、メールデータなど携帯電話機に記憶されるデータ又は脱着可能に装着された外部メモリに記憶されたデータであればよい。
【００３０】
(付記１)
赤外線通信機能を有する携帯電話機において、
相手方の携帯電話機から赤外線通信により送信される第一のデータを受信し、第二のデータを赤外線通信により送信する赤外線通信部と、
前記第一のデータの受信完了に応じて、前記第二のデータを送信するように前記赤外線通信部を制御する制御部とを備えることを特徴とする携帯電話機。
【００３１】
(付記２)
赤外線通信機能を有する携帯電話機において、
相手方の携帯電話機から赤外線通信により送信される第一のデータを受信し、第二のデータを赤外線通信により送信する赤外線通信部と、
前記第二のデータの送信完了に応じて、前記第一のデータを受信するように前記赤外線通信部を制御する制御部とを備えることを特徴とする携帯電話機。
【００３２】
(付記３)
赤外線通信機能を有する携帯電話機において、
相手方の携帯電話機から赤外線通信により送信される第一のデータを受信し、第二のデータを赤外線通信により送信する赤外線通信部と、
前記第一のデータの受信完了に応じて、前記第二のデータを送信するように前記赤外線通信部を制御する第一のモードと、前記第二のデータの送信完了に応じて、前記第一のデータを受信するように前記赤外線通信部を制御する第二のモードとを有する制御部とを備えることを特徴とする携帯電話機。
【００３３】
(付記４)
赤外線通信機能を有する携帯電話機の通信方法において、
相手方の携帯電話機から赤外線通信により送信される第一のデータを受信し、第二のデータを赤外線通信により送信する赤外線通信ステップと、
前記第一のデータの受信完了に応じて、前記第二のデータを送信するように前記赤外線通信ステップを制御する制御ステップとを備えることを特徴とする携帯電話機の通信方法。
【００３４】
(付記５)
赤外線通信機能を有する携帯電話機の通信方法において、
相手方の携帯電話機から赤外線通信により送信される第一のデータを受信し、第二のデータを赤外線通信により送信する赤外線通信ステップと、
前記第二のデータの送信完了に応じて、前記第一のデータを受信するように前記赤外線通信ステップを制御する制御ステップとを備えることを特徴とする携帯電話機の通信方法。
【００３５】
(付記６)
赤外線通信機能を有する携帯電話機の通信方法において、
相手方の携帯電話機から赤外線通信により送信される第一のデータを受信し、第二のデータを赤外線通信により送信する赤外線通信ステップと、
前記第一のデータの受信完了に応じて、前記第二のデータを送信するように前記赤外線通信ステップを制御し、前記第二のデータの送信完了に応じて、前記第一のデータを受信するように前記赤外線通信ステップを制御する制御ステップとを備えることを特徴とする携帯電話機の通信方法。
【００３６】
(付記７)
赤外線通信機能を有する携帯電話機により実行されるコンピュータプログラムにおいて、
相手方の携帯電話機から赤外線通信により送信される第一のデータを受信し、第二のデータを赤外線通信により送信する赤外線通信ステップと、
前記第一のデータの受信完了に応じて、前記第二のデータを送信するように前記赤外線通信ステップを制御する制御ステップとを前記携帯電話機に実行させるためのコンピュータプログラム。
【００３７】
(付記８)
赤外線通信機能を有する携帯電話機により実行されるコンピュータプログラムにおいて、
相手方の携帯電話機から赤外線通信により送信される第一のデータを受信し、第二のデータを赤外線通信により送信する赤外線通信ステップと、
前記第二のデータの送信完了に応じて、前記第一のデータを受信するように前記赤外線通信ステップを制御する制御ステップとを前記携帯電話機に実行させるためのコンピュータプログラム。
【００３８】
(付記９)
赤外線通信機能を有する携帯電話機により実行されるコンピュータプログラムにおいて、
相手方の携帯電話機から赤外線通信により送信される第一のデータを受信し、第二のデータを赤外線通信により送信する赤外線通信ステップと、
前記第一のデータの受信完了に応じて、前記第二のデータを送信するように前記赤外線通信ステップを制御し、前記第二のデータの送信完了に応じて、前記第一のデータを受信するように前記赤外線通信ステップを制御する制御ステップとを前記携帯電話機に実行させるためのコンピュータプログラム。
【図面の簡単な説明】
【００３９】
【図１】本発明の実施の形態における携帯電話機のブロック構成図を示す図である。
【図２】本発明の実施の形態における赤外線通信によるデータ交換処理のフローチャートである。
【図３】データ交換処理中の携帯電話機のディスプレイに表示される画面の例である。
【符号の説明】
【００４０】
１：携帯電話機、１０：制御部、１１：キー、１２：スピーカ、１３：マイク、１４：ディスプレイ、１５：無線信号処理部、１６：アンテナ、１７：赤外線通信部、１８：電源
【図１】
2007221355.tif 000003
【図２】
2007221355.tif 000004
【図３】
2007221355.tif 000005